(57)【要約】【課題】確実な動作をする遮光装置を提供することにより撮像素子を保護するとともに、遮光装置を備えたデジタルカメラの製造コストの引き下げを図る。【解決手段】このデジタルカメラの遮光装置は、アパーチャ１ａを有する地板１に、このアパーチャを平行リンク機構により開閉可能に設けてあるセクタ１２と、地板１の他方の面に設けてある電磁アクチュエータ４と、この電磁アクチュエータの駆動力をセクタに伝達する駆動力伝達機構７とを備えている。上記の電磁アクチュエータは、永久磁石のロータ４ｃの１回転範囲にロータを無通電保持可能な複数の静的安定位置を有しているとともに、駆動力伝達機構をアクチュエータの静的安定位置とセクタのアパーチャ開放状態に対応させてある。ロータはセクタの開放又は閉鎖位置に無通電保持可能となるため、電力の消費を抑え、撮像素子の画像読み込み中におけるノイズの発生を防止可能となる。【選択図】      図１
2004317665.tif 000002
【特許請求の範囲】
【請求項１】
アパーチャを有する地板に当該アパーチャを平行リンク機構により開閉可能に設けてあるセクタと、上記地板の他方の面に設けてある電磁アクチュエータと、この電磁アクチュエータの駆動力を上記セクタに伝達する駆動力伝達機構とを備え、
上記電磁アクチュエータは永久磁石のロータを有し、上記ロータの１回転範囲に当該ロータを無通電保持可能な複数の静的安定位置を有しており、
上記駆動力伝達機構は、上記静的安定位置のうちの第１の位置が上記セクタのアパーチャ開放状態に対応し、上記第１の位置と異なる第２の位置が上記セクタのアパーチャ閉鎖状態に対応するように構成してある
ことを特徴とするデジタルカメラの遮光装置。
【請求項２】
請求項１において、上記第１の位置と上記第２の位置とは、上記静的安定位置の隣り合う２位置であることを特徴とするデジタルカメラの遮光装置。
【請求項３】
請求項１又は請求項２のいずれかにおいて、上記駆動力伝達機構は、上記アパーチャの開放時には上記セクタに上記アパーチャを開放する方向の付勢力を与え、上記アパーチャの閉鎖時には上記セクタに遮蔽する方向の付勢力を与えるセクタ付勢部材を備えていることを特徴とするデジタルカメラの遮光装置。
【発明の詳細な説明】
【０００１】
【発明の属する技術分野】
本発明は、ＣＣＤやＣ−ＭＯＳ等の電子撮像素子（以下「撮像素子」という。）を保護するために撮像素子の前方に設けるデジタルカメラの遮光装置に関するものである。
【０００２】
【従来の技術】
デジタルカメラは、撮像素子上に結像した被写体の画像をデジタル信号化してＣＰＵに出力して撮像化するものであるので、基本的に銀塩フィルム式カメラ（以下「フィルム式カメラ」という。）のようなセクタを使用したシャッタ機構を必要としないものである。ただ、デジタルカメラは、フィルム式カメラの技術の転用及び撮像素子に対する画質向上のためにセクタを使用したシャッタ機構が採用されているものが多い。セクタを使用したシャッタ機構を備えず、撮像のＯＮ，ＯＦＦにより画像を取り込んでＣＰＵに出力するようにしたいわゆる電子シャッタ式のデジタルカメラもある。また、最近のデジタルカメラの普及は、レンズ交換可能な高級品から確認用液晶パネルを備えていない普及品まで多岐にわたっている。
【０００３】
【発明が解決しようとする課題】
上記従来技術のうち、セクタを使用したシャッタや電子シャッタ機構を備えたデジタルカメラでは、被写体を液晶パネルに映し出すために常時、アパーチャ（画枠）を開放状態に保持しておくものが多いが、これにより常時、光が撮像素子にレンズを通して当っていることになる。このため、撮像素子が汚れやいわゆる光焼けを起こして劣化する原因となっている。また、レンズ交換可能な高級機種では、仮に通常はアパーチャが閉鎖されているとしても、レンズ交換のためにレンズを取り外した時に外気にさらされて撮像素子に直接光が当たるほか、塵埃も付着するおそれがある。そこで本発明の目的は、撮像素子の保護を確実に行うための遮光装置を提供するとともに、この遮光装置によるアパーチャの開閉を行う際の電力の消費を抑え、かつ構成部材間のバラツキや製作誤差による隙間を一方に寄せるいわゆるガタ寄せ機能を備えることにより高質な撮像を取得可能とすることにある。
【０００４】
【課題を解決するための手段】
上記の目的を達成するために、本発明に係るデジタルカメラの遮光装置は、以下の手段を採用することにより以下の作用効果を生じるようにしたところに特徴がある。この遮光装置の主たる構成は、アパーチャを有する地板に、このアパーチャを平行リンク機構により開閉可能に設けてあるセクタと、地板の他方の面に設けてある電磁アクチュエータと、この電磁アクチュエータの駆動力を上記セクタに伝達する駆動力伝達機構とを備えている。上記の電磁アクチュエータは永久磁石のロータを有し、このロータの１回転範囲にロータを無通電保持可能な複数の静的安定位置を有しているとともに、それらの静的安定位置のうち、ある特定の位置（第１の位置）がセクタのアパーチャ開放状態に対応し、この第１の位置と異なる第２の位置がセクタのアパーチャ閉鎖状態に対応するように構成してある。
【０００５】
上記の構成を採用することにより、セクタが開放又は閉鎖状態になっているときに、電磁アクチュエータのロータの磁極が静的安定位置に位置するように対応するため、これらの位置に保持状態となっているときにはアクチュエータへの通電が不要となる。また、アパーチャが全開になっているときに撮像素子による露出が行われるが、この時間帯にはパルス通電が行われないため、画像読み込み中におけるノイズの発生を防止可能となるので、電磁シールドを簡素化することができる。さらに上記の第１の位置と第２の位置とを静的安定位置の隣り合う２位置とするように設定すれば、１パルスの通電によりセクタの開閉動作が終了するため、セクタの動作が速くなる上に、アクチュエータへの連続パルスを供給する必要がなくなるため、複雑で高価なパルス駆動回路が不要となる。
【０００６】
また、他の手段として、上記の駆動力伝達機構に、アパーチャの開放時にはアパーチャを開放する方向の付勢力をセクタに与え、アパーチャの閉鎖時にはセクタに遮蔽する方向の付勢力を与えるセクタ付勢部材を備えたものとするとよい。このセクタ付勢部材を備えることにより、アクチュエータの静的ロック力を補うことができるとともに、ガタ寄せができるので駆動力伝達機構やセクタ間のバラツキを減らすことができるため、不良率の低減や品質の安定化が得られる。
【０００７】
【発明の実施の形態】
次に本発明の実施の形態例について図面を参照して説明する。図１，２は一形態例に係るデジタルカメラの遮光装置を拡大して示したものである。なお、プリント基板Ｐと後述の支持基板３の天板部とを透過して輪郭だけを示してある。図示してあるように、この遮光装置は、構造上、アパーチャを重畳及び展開する羽根群によって開閉可能としてある点において、フォーカルプレーンシャッタに似たものとなっている。しかし、フォーカルプレーンシャッタのように先幕と後幕とを備えたものではなく、先後いずれかの幕に相当する１つのセクタ１２を備えただけのシンプルなものとなっている。
【０００８】
図１，２において、地板１は、実質的に長方形に形成された板状体からなり、その内側の右寄りの位置にアパーチャ１ａが設けてある。このアパーチャ１ａの左方の基板上面（図面表面）に遮光幕であるセクタ１２を駆動するセクタ駆動ユニット２が装着してある。セクタ駆動ユニット２は、地板１の上面（図面表側）に突設された位置決めピン１ｂ，…により位置決めされ、固定手段としてのビス１０，１０によって固定されている（図３参照）。また、地板１のセクタ駆動ユニット２が設けてある部分の背面側には、後述のセクタ１２が設けてあり、セクタ駆動ユニット２によりセクタ１２を駆動し、アパーチャ１ａの開閉動作が可能となっている。
【０００９】
セクタ駆動ユニット２は、予め支持基板３に装着してある電磁アクチュエータ（以下「アクチュエータ」という。）４及び後述のセクタ位置検出手段であるシンクロスイッチ５と、後述の中間部材６の下面側にセクタ駆動ユニット２の構成要素として後に装着される駆動力伝達機構７とからなる。セクタ駆動ユニット２の図面上部には、アクチュエータ４やシンクロスイッチ５に電力を供給するためのプリント基板Ｐが設けられている（図３，４参照）。このセクタ駆動ユニット２は、地板１の一方の面（表面）に位置決めされ、固定手段であるビス１０，１０により固定してある。また、地板１の他方の面（背面）には、上記の駆動力伝達機構７によりアパーチャ１ａを開閉可能とするようにセクタ１２が設けてある。
【００１０】
図３は、セクタ駆動ユニット２及びセクタ１２、セクタアーム１３，１４等の各機構を分割して拡大断面図として示したものである。セクタ駆動ユニット２の駆動機構のうち、後述のアクチュエータ４及びシンクロスイッチ５を含む駆動部は、支持基板３の一方の面（図３下面）に脱落不能に装着してある中間部材６を介して固定されている。支持基板３は天板部３ａが、長方形の板状体からなり（図１参照）、その周囲部には、上記の中間部材６を保持するための掛止部３ｂ，３ｂが設けてある。中間部材６は、アクチュエータ４やシンクロスイッチ５を保持可能であるとともに、地板１への取付部６ｆ、６ｇを備えている。セクタ駆動ユニット２は、上記の駆動部と中間部材６の外面（図３下面）に取り付けられた上述の駆動力伝達機構７とにより構成されている。地板１の他方の面（図３下面）には、セクタ１２がアパーチャ１ａ（図１参照）を開閉可能に設けてある。こうしてユニット化されたセクタ駆動ユニット２は、地板１に対して着脱容易であるため、各種のセクタに取付可能となっている。
【００１１】
上述のアクチュエータ４は、公知のパルスモータの一種であり、ステータ４ａ、駆動コイル４ｂ及び永久磁石製のロータ４ｃからなる。このアクチュエータ４は、ロータ４ｃの磁極とステータ４ａに設けられた磁極の位置とにより、ロータ４が無通電保持される静的安定位置を有している。電流の通電によりロータ４ｃの磁極がステータの磁極間を移動して静的安定位置に静止してロータ４ｃを保持可能となっている。静的安定位置はロータ４ｃの磁極数と、このロータを取り囲むステータ４ａの凹部の内周部に設けてある磁極の数とにより定まるが、ここではロータの磁極が２極でステータの磁極数が４極の組み合わせにより、２か所に静的安定位置を設けてある。なお、静的安定位置を３箇所以上とし、隣り合う２箇所の静的安定位置をセクタ１２が重畳する位置（アパーチャ開放）及びセクタ１２が展開する位置（アパーチャ遮蔽）に対応させるようにすると、１パルス入力によりセクタ１２の開閉動作が可能となる。アクチュエータ４は、中間部材６によって支持基板３の天板部３ａに押さえ付けられた状態に固定されており、ロータ４ｃと一体の駆動軸４ｄがこの中間部材６を貫通して下面側に突出するように設けてある。
【００１２】
アクチュエータ４の駆動軸４ｄの先端部（図３下端部）には、上述の駆動力伝達機構７を構成する駆動レバー８が固着してある。上記の駆動レバー８は、開き度を小さくした扇形に形成した板体からなり、扇の要に相当する部分がアクチュエータ４の回転軸４ｄに固着してある。駆動レバー８の先端に形成してある円弧部は、歯車の歯形を刻設してなる歯部８ａとなっている。また、中間部材６の下面に突設された支軸部６ｂには、駆動レバー８に従動可能なセクタ駆動レバー９が揺動自在に支持されている。セクタ駆動レバー９は歯部９ａが駆動レバー８の歯部８ａと噛合することにより駆動レバーと連動可能となっている。このセクタ駆動レバー９は、回転中心から所定距離の範囲を円弧状に形成し、この円弧状になっている部分の周囲の一部に駆動レバーの歯部８ａと噛合可能な歯部９ａが刻設してある。セクタ駆動レバーの円弧部の歯部９ａが設けられていない部分の一部は、外方へ延伸してアーム部９ｂが形成してある。上記の円周部とアーム部９ｂとの境界付近には、図３で上向きに突出する後述の接離突起９ｃが設けてある。また、アーム部９ｂの先端部下面には、上述のセクタ１２を駆動するための駆動ピン９ｄが設けてある。
【００１３】
こうして駆動力伝達機構７は、駆動レバー８がアクチュエータ４のロータ４ｃの回転角度に対応する角度だけ揺動し、歯車機構を介して従動するセクタ駆動レバー９は、各揺動中心から歯部のピッチ円までの距離の比に応じた角度だけ揺動可能となっている。セクタ駆動レバー９の揺動角は、セクタアーム１３の揺動角と同一であり、結局、セクタ１２の往復移動量はセクタ駆動レバー９の揺動角とセクタアーム１３の長さにより定まるようになっている。図面では各レバーの揺動中心からピッチ円までの距離が互いに異なるように描かれているため、揺動角も異なるようになっているが、アクチュエータ４のトルクを考慮すると、各揺動角はほぼ同一とすることが望ましい。
【００１４】
次に、上述のシンクロスイッチ５について説明する。この遮光装置に用いるシンクロスイッチ５は、セクタ１２の開閉状態を検出して露出の際にセクタが全開になっていることを確認するためのセクタ位置の検出センサであり、検出ばね１７と検出ピン１８とからなる。図１、図２に示すように、検出ばね１７は、コイル部の両端を反対方向に延伸してなる直線部を有するねじりコイルばねを採用してあり、このコイル部を支持基板３に突設された軸部３ｄに嵌合し、一方の直線部をセクタ駆動レバー９の接離突起９ｃに当接可能としてある。また、一方の直線部（図１下方側）は、中間部材６の上面に突設してある突部６ｃに当接可能とすることにより揺動範囲を規制してある。この検出ばね１７の他方の直線部（図１上方側）は、セクタ駆動レバー９と一体に設けてある接離突起９ｃによって揺動可能としてある。すなわち、セクタ１２が閉鎖しているときには、接離突起９ｃは、検出ばね１７から離れているため、この検出ばねはばね力で検出ピン１８に当接している。これに対し、セクタ１２が開放になっている時には、接離突起９ｃは、検出ばね１７を反時計方向に押圧して変形させているため、この検出ばねは検出ピン１８から離れている。検出ピン１８の直線部は、先端部で直角に折り曲げられて上向きに延伸し、その先端部を支持基板３の天板部３ａの上面に突設して情報出力部１７ａとすることにより、カメラ本体のＣＰＵへ検出データを出力可能としてある。
【００１５】
検出ピン１８は、導電体の丸棒材からなり、その両端はプリント基板Ｐと中間部材６との間で支持されており、プリント基板Ｐと導通している。検出ピン１８は、上記したように、セクタ１２がアパーチャ１ａを閉鎖状態にしている時（図１参照）には、検出ばね１７の直線部の中間位置がこれに当接（ショート）可能であり、開放状態になっている時（図２参照）には、この直線部が離反（オープン）可能とする位置に設けてある。検出ばね１７と検出ピン１８との接離状態を示す検出データは、プリント基板Ｐに設けられた端子部１７ａ，１８ａから出力可能となっている。
【００１６】
図３に示すように、地板１とセクタ駆動ユニット２との結合は、地板１の上面の複数か所に設けてある位置決めピン１ｂ（１個だけ図示）と、中間部材６の取付部６ｆ、６ｇに設けてある位置決め孔６ａとを合わせて、両者を互いに接近する方向へ押し付け、さらに固定手段であるビス１０で締め付けてある。図４は、地板１にセクタ駆動ユニット２を装着した状態を示している。この装着により、中間部材６に突設された軸部６ｂに揺動自在に支持されているセクタ駆動レバー９は、地板１に突設してある突部１ｇにより安定的に支持されるとともに、駆動ピン９ｄが地板の円弧溝部１ｃを貫通して背面側へ突出状態となっている。
【００１７】
地板１の他方の面（背面）には、アパーチャ開口１ａを開閉するセクタ１２及びセクタアーム１３，１４が取り付けてある。図１，２に示すように、このセクタ１２は、複数のセクタ１２と、これらのセクタを駆動する第１アーム１３と第２セクタアーム１４との組み合わせによる平行リンク機構となっている。セクタは図面上１枚だけ示されている。
【００１８】
上記の平行リンク機構を構成するセクタアームのうち、下方に位置する第１セクタアーム１３は、セクタ駆動レバー９の回転中心と同心の軸部１ｄ（図３参照）に揺動自在に支持されている。第１セクタアーム１３の中間位置に設けられた孔部（図示略）には、セクタ駆動レバー９の駆動ピン９ｄが挿通することによりこのアームをセクタ駆動レバーに連動可能としてある。また、第１セクタアーム１３の先端部は、セクタ１２と連結ピン（図示略）を介して揺動自在に連結されている。これに対し、第１セクタアーム１３の上方に位置する第２セクタアーム１４は、第１セクタアームの支持点と少し離れた地板１の上面に揺動自在に支持されている。これとともに、アームの先端部がセクタ１２に揺動自在に連結されていることにより、平行リンク機構が働いてセクタ１２を平行移動可能としてある。
【００１９】
図４に示すように、地板１の背面側には、さらに第１セクタアーム１３に対してセクタ１２を開く方向へ付勢するように作用する付勢ばね１６が設けてある。この付勢ばね１６は、ねじりコイルばねを採用してあり、コイル部は第１セクタアーム１３を支持している軸部１ｄに挿通し、コイル部から延びている一方の直線部を地板１の背面に突設してある係止突起１ｅに当接可能としてある。また、付勢ばね１６の他方の直線部は、第１セクタアーム１３の側部に当接してこのアームをセクタ１２が開く方向へ付勢可能としてある。この付勢ばね１６の第１の機能は、セクタ１２が初期位置にあるときにはレリーズオンの際に、セクタアーム１３を付勢してセクタ１２の開放動作を容易にするものである。第２の機能は、アパーチャ１ａが開放状態になった時に、駆動力伝達機構７とセクタ１１との間に生じる隙間（ガタ）を一方に押し付けるいわゆるガタ寄せの働きをするものである。なお、この付勢ばね１６及びセクタ１１は、羽根押さえ板１５により保護されている。
【００２０】
次に、図５に示すシーケンスチャートを参照して、この実施の形態例の動作を説明する。図５における横軸の表示要素のうち、開閉レバー駆動コイルとは、既述の構成におけるアクチュエータ４の駆動コイル４ｂを指しており、開閉レバーとは駆動力伝達機構７のレバー、特にセクタ駆動レバー９を指している。また、映像素子の露出とは、結像した被写体の画像のデジタル信号化の動作を示している。図５の横軸はもちろん時間を示しているが、時間の長さの比率については実際の比率通りに表示されているものではなく、あくまでも説明上の便宜から表示しているものである。
【００２１】
まず、初期状態においては、アクチュエータの駆動コイル４ｂへの通電がオフとなっているため、セクタ駆動レバー９もセクタ１２も初期位置（静的安定位置）に静止している。このときには、シンクロスイッチ５は、検出ばね１７と検出ビン１８とが当接（ショート）している（図１参照）。次にカメラ本体のレリーズスイッチ（図示略）をオンにすると、ＣＰＵからセクタ１２がアパーチャを閉じる方向へロータを回転させるプラス電流を短時間だけ流してセクタ１２の位置調整（ガタ寄せ）を行う。次に、ＣＰＵからアクチュエータの駆動コイル４ｂへガタ寄せ時とは反対方向へのマイナス電流が出力されると、ロータ４ｃが逆方向へ回転し、駆動力伝達機構７を介してセクタ１２を移動させてアパーチャ１ａを開く。セクタ１２の重畳動作を終了してアパーチャ１ａが全開になると、さらに同方向に少し強い電流を出力していわゆるガタ寄せ及びバウンド防止を行う。このガタ寄せは、上記のセクタ付勢ばね１６によりコイル３ｂへの通電がオフとなっている時間帯にも継続可能となっているため、開閉状態における静的安定が補強される。
【００２２】
シンクロスイッチ５は、セクタ１２が完全に開いた状態の下では、セクタ駆動レバーの接離突起９ｃが、検出ばね１７の一方の直線部に当接して反時計方向へ押し付けているため、検出ばね１７は検出ピン１８から離反（オープン）し（図２参照）、この状態変化により生じる信号データが出力される。この信号データ変化の出力を受けたＣＰＵは、アパーチャ１ａが開いていることを確認し、アクチュエータの駆動コイル４ｂへの通電をオフするとともに、撮像素子に信号を出して露出が開始される。露出動作は駆動コイル４ｂへの通電をオフにして露出中におけるノイズの発生を防止するとともに、電力消費の軽減を図っている。コイル４への通電オフ中もロータ４ｃは、静的安定位置に無通電保持されているため、セクタ１２が勝手に動いてしまうようなことは生じない。
【００２３】
こうして既に開始されている露出動作が終了すると、それに合わせてアクチュエータの駆動コイル４ｂに、再びセクタ１２が重畳する方向へ回転させるマイナス電流が流されてガタ寄せが行われる。続いて駆動コイル４ｂへセクタ１２を展開する方向へ回転させる方向のプラス電流を流すことにより、セクタ駆動レバー９を回動させるとともにセクタ１２を閉じさせる。この時セクタ駆動レバー９が、図１において、反時計方向へ回動して接離突起９ｃが検出ばね１７から離れると、シンクロスイッチ５の検出ばね１７が原位置へ復帰することにより、検出ばねの直線部は、検出ピン１８から離反（オープン）する。これによりシンクロスイッチ５からの出力信号の方向を変化させ、この出力を受けたＣＰＵはアパーチャ１ａの閉鎖開始を確認する。こうしてセクタ１２が展開してアパーチャ１ａを閉鎖するが、駆動コイル４ｂへの通電は、駆動力伝達機構７及びセクタ１２の復帰動作が完了した後にも、さらに所定時間だけ駆動コイル４ｂへ同方向の通電を続けてガタ寄せをした後、通電をオフにしてこれらを初期位置に復帰させる。駆動コイル４ｂへの通電停止とともに、露出により撮像素子に蓄積された撮像データはＣＰＵへ出力され、これにより撮影の１動作が完了する。読み込まれたデータは、カメラ本体の記憶素子へ出力されることにより保存される。
【００２４】
別な実施の形態として、図６，７に示すように、セクタ駆動レバー９の先端部と、地板１との間にセクタ付勢部材２１を設けるようにすれば、ガタ寄せ用の電流出力を無くすことができ、無通電保持等の位置保持の役割りをすることができる。セクタ付勢部材２１としては、ねじりコイルばねのコイル部の両端部を延伸してなる直線部をハの字状に形成し、各端部に係合部を設けたターンスプリングを採用してある。このセクタ付勢部材２１の一方の係合部は地板１の表面に突設された支軸１ｈに支持されており、他方の係合部はセクタ駆動レバー９の先端部に下向きに突設された上述の駆動ピン９ｄに連結している。セクタ付勢部材２１の直線部は、上記のハの字の角度が広がる方向に付勢された状態に設けてあるため、図６の状態、すなわち、セクタ１２がアパーチャ１ａを閉鎖状態にしているときには、閉鎖する方向に付勢力を与えるようになっている。
【００２５】
また、図７の状態、すなわち、セクタ１２がアパーチャ１ａの開放位置にあるときには、セクタ付勢部材２１はアパーチャを開放する方向に付勢力を与えるようになっている。したがって、セクタ１２は常に遮蔽位置か開放位置かのいずれかの位置に付勢された状態に位置しているため、ガタ寄せのための通電を要しない。こうしてセクタ付勢部材２１はアクチュエータ４の静的ロック力を補うとともに、カメラに衝撃が加わったような場合にも、この位置が変化することがなくなるので、常にセクタ１２の閉鎖又は開放状態を保持可能となる。なお、このセクタ付勢部材２１は、ターンスプリング以外にも引っ張りコイルばねによっても同様の機能を果たすことが可能である。
【００２６】
以上の説明において、本発明に係る遮光装置は、デジタルカメラに適用するものとしてあるが、本発明はこれに限られるものではなく、絞り式のシャッタやフォーカルプレーンシャッタを備えたデジタルカメラ等デジタルカメラ一般に適用可能である。特にレンズ交換可能な高級機種に適用すれば塵埃等による汚れを防止可能となるので顕著な効果を期待できる。なお、ここでは駆動力伝達機構として歯車機構を採用してあるが、本発明はこれに限定する趣旨ではなく、リンク機構やスライダ−クランク機構等を採用することも可能である。
【００２７】
【発明の効果】
本発明に係るデジタルカメラの遮光装置は、セクタ駆動用の電磁アクチュエータの静的安定位置と、セクタのアパーチャの開閉位置とを対応させてあるので、アパーチャの開放又は閉鎖時における無通電保持が可能となるため、電力の消費を抑え、かつ全開時における撮像素子の画像読み込み中におけるノイズの発生を抑えることが可能となる。また、電磁アクチュエータの静的安定位置が３箇所以上ある場合に、隣り合う２位置を上記のセクタの開放位置又は閉鎖位置に対応させるようにすれば、１パルスの通電によって開放又は閉鎖の動作を行うことができるので、動作時間が短縮される。これとともに、複雑なパルス駆動回路を要しないので、製造コストの低減が可能となる。次に、駆動力伝達機構に、アパーチャの開放時には、セクタにアパーチャを開放する方向の付勢力を与え、アパーチャの閉鎖時には、セクタに閉鎖する方向の付勢力を与えるセクタ付勢部材を備えたものとすれば、アクチュエータの静的ロック力を補うことができるとともに、ガタ寄せができるので駆動力伝達機構やセクタ間のバラツキを減らすことができるため、不良率の低減や品質の安定化が得られる。
【図面の簡単な説明】
【図１】アパーチャ開口が全閉となっている状態を示す平面図である。
【図２】アパーチャ開口が全開となっている状態を示す平面図である。
【図３】駆動部の拡大分解断面図である。
【図４】駆動部の拡大断面図である。
【図５】一形態例の動作を示すシーケンスチャートである。
【図６】他の形態例におけるアパーチャ開口が全閉となっている状態を示す拡大平面図である。
【図７】他の形態例におけるアパーチャ開口が全開となっている状態を示す拡大平面図である。
【符号の説明】
１            地板
１ａ          アパーチャ
２            セクタ駆動ユニット
３            支持基板
４            電磁アクチュエータ
４ｂ          駆動コイル
４ｃ          ロータ
５            シンクロスイッチ
６            固定部材
７            駆動力伝達手段
８            駆動レバー
９            セクタ駆動レバー
１２          セクタ
１３，１４    セクタアーム
１６          セクタ付勢ばね
２１          セクタ付勢手段
【図１】
2004317665.tif 000003
【図２】
2004317665.tif 000004
【図３】
2004317665.tif 000005
【図４】
2004317665.tif 000006
【図５】
2004317665.tif 000007
【図６】
2004317665.tif 000008
【図７】
2004317665.tif 000009